(57)【要約】【課題】記入されたマークの読み取りを指示するタイミングマークが印刷されたマークシート用紙において、折り部にて折り畳まれる構成であってもマークの誤認識を回避する。【解決手段】複数の紙片部１０ａ〜１０ｃがミシン目２０ａ，２０ｂを介して折り畳み可能に連接した構成において、ミシン目２０ａ，２０ｂ上の領域において紙片部１０ａ〜１０ｃが連接する方向にてタイミングマーク６０ａ〜６０ｄと並んで印刷されたダミーマーク７０ａ，７０ｂを有する。【選択図】図１
2016066244.tif 000002
【特許請求の範囲】
【請求項１】
複数の紙片部が折り部を介して折り畳み可能に連接して構成され、記入されたマークの読み取りを指示するタイミングマークが印刷されたマークシート用紙において、
前記折り部上の領域において前記複数の紙片部が連接する方向にて前記タイミングマークと並んで印刷されたダミーマークを有することを特徴とするマークシート用紙。
【発明の詳細な説明】
【技術分野】
【０００１】
本発明は、記入されたマークの読み取りがタイミングマークによって指示されるマークシート用紙に関し、特に、折り畳み可能な構成としたことによるマークの誤認識を回避する技術に関する。
【背景技術】
【０００２】
大学入試センター試験や一部の国家試験等においては、複数の選択肢に対応する解答欄の中から受験者が正解と思われる解答欄を塗りつぶすマークシート方式が採用されている。このようなマークシート方式においては、マークシート用紙に記入されたマークが機械的に読み取られるため、採点の効率化を図ることができ、多数の受験者の採点を短時間で行うことができる。
【０００３】
また、上記のような試験に限らず、情報を合理的かつ効率的に収集するためにマークシート用紙が用いられている（例えば、特許文献１参照）。
【０００４】
また近年では、アンケート等を行う際にその回答用紙としてマークシート用紙を郵送し、郵送先にて回答を記入してもらうことも行われている。その場合、郵便料金を安価にするためにマークシート用紙を折り畳んで郵送することが好ましい。
【０００５】
図５は、折り畳まれて郵送されるマークシート用紙の一例を示す図である。
【０００６】
本例のマークシート用紙は図５に示すように、３つの紙片部１１０ａ〜１１０ｃが折り部となるミシン目１２０ａ，１２０ｂを介して折り畳み可能に連接して構成されている。紙片部１１０ｂ，１１０ｃのそれぞれには、質問内容を示す質問項目１３０ａ〜１３０ｌが記載されているとともに、この質問項目１３０ａ〜１３０ｌに対応する回答をマークによって記入する位置を示すマーク位置指標１４０ａ〜１４０ｌ，１５０ａ〜１５０ｌが設けられている。マーク位置指標１４０ａ〜１４０ｌは、質問項目１３０ａ〜１３０ｌに対して「はい」と回答する場合にマークを記入する位置を示すものであり、３つの紙片部１１０ａ〜１１０ｃの連接方向に直交する方向に、マーク位置指標１４０ａ〜１４０ｆ，１４０ｇ〜１４０ｌがそれぞれ一列になって整列している。また、マーク位置指標１５０ａ〜１５０ｌは、質問項目１３０ａ〜１３０ｌに対して「いいえ」と回答する場合にマークを記入する位置を示すものであり、３つの紙片部１１０ａ〜１１０ｃの連接方向に直交する方向に、マーク位置指標１５０ａ〜１５０ｆ，１５０ｇ〜１５０ｌがそれぞれ一列になって整列している。
【０００７】
また、紙片部１１０ｂの端部には、マーク位置指標１４０ａ〜１４０ｆ，１５０ａ〜１５０ｆの整列方向延長線上のそれぞれに、マーク位置指標１４０ａ〜１４０ｆ，１５０ａ〜１５０ｆによる位置に記入されたマークの読み取りを指示するタイミングマーク１６０ａ，１６０ｂが印刷されている。また、紙片部１１０ｃの端部には、マーク位置指標１４０ｇ〜１４０ｌ，１５０ｇ〜１５０ｌの整列方向延長線上のそれぞれに、マーク位置指標１４０ｇ〜１４０ｌ，１５０ｇ〜１５０ｌによる位置に記入されたマークの読み取りを指示するタイミングマーク１６０ｃ，１６０ｄが印刷されている。
【０００８】
このように構成されたマークシート用紙１０１においては、質問項目１３０ａ〜１３０ｌに対する回答が、そのそれぞれについてマーク位置指標１４０ｇ〜１４０ｌとマーク位置指標１５０ｇ〜１５０ｌとのいずれか一方による位置にマークによって記入されることになる。
【０００９】
そして、マークシート読取装置によって、紙片部１１０ａ〜１１０ｃの連接方向にマークの読み取りが行われていくことになる。具体的には、タイミングマーク１６０ａが検出されると、マーク位置指標１４０ａ〜１４０ｆによる位置に記入されたマークが読み取られ、次に、タイミングマーク１６０ｂが検出されると、マーク位置指標１５０ａ〜１５０ｆによる位置に記入されたマークが読み取られる。さらにその後、タイミングマーク１６０ｃが検出されると、マーク位置指標１４０ｇ〜１４０ｌによる位置に記入されたマークが読み取られ、次に、タイミングマーク１６０ｄが検出されると、マーク位置指標１５０ｇ〜１５０ｌによる位置に記入されたマークが読み取られる。これにより、質問項目１３０ａ〜１３０ｌに対する回答が認識されることになる。
【先行技術文献】
【特許文献】
【００１０】
【特許文献１】特開平１１−３０９２３４号公報
【発明の概要】
【発明が解決しようとする課題】
【００１１】
上述したように、回答をマークによって記入する位置を示すマーク位置指標が設けられ、このマーク位置指標による位置に記入されたマークが読み取られるマークシート用紙においては、マークの読み取りを指示するタイミングマークが印刷されており、マークシート読取装置において、そのタイミングマークが検出された場合に、マーク位置指標による位置に記入されたマークが読み取られることになる。その際、図５に示したもののように折り部としてミシン目を用いた場合、カット部の凹みに影が生じたり、カット部を介してマークシート用紙の下部が見えたりし、また、折り部としてミシン目ではなく筋押し等の折り線を用いた場合でも折り線に影が生じたりすることにより、折り部が黒っぽく見え、マークシート読取装置にてタイミングマークとして認識されてしまう虞れがある。その場合、マークシート読取装置においては、折り部がタイミングマークとして認識されたことによって折り部上にてマークの読み取りが行われてしまうことになる。
【００１２】
そして、１枚のマークシート用紙について、読み取られたマークに応じた情報を認識する回数が決められている場合、折り部がタイミングマークとして認識されてマークの読み取りが行われてしまうと、上述したように、複数の紙片部の連接方向にマークの読み取りが順次行われた際、読み取り方向下流側のマーク位置指標による位置に記入されたマークに応じた情報が認識されなくなってしまうことになる。例えば、図５に示したマークシート用紙１０１においては、４つのタイミングマーク１６０ａ〜１６０ｄが印刷されており、読み取られたマークに応じた情報を認識する回数が４回と決められている場合、ミシン目１２０ａ，１２０ｂがタイミングマークとして認識されたことによる読み取りに応じた情報認識が行われてしまうため、タイミングマーク１６０ａ〜１６０ｄが検出されることによって読み取られたマークのうち、マーク位置指標１４０ａ〜１４０ｆ，１５０ａ〜１５０ｆによる位置に記入されたマークに応じた情報は認識されるものの、マーク位置指標１４０ｇ〜１４０ｌ，１５０ｇ〜１５０ｌによる位置に記入されたマークに応じた情報が認識されなくなってしまう。
【００１３】
本発明は、上述したような従来の技術が有する問題点に鑑みてなされたものであって、記入されたマークの読み取りを指示するタイミングマークが印刷されたマークシート用紙において、折り部にて折り畳まれる構成であってもマークの誤認識を回避することができるマークシート用紙を提供することを目的とする。
【課題を解決するための手段】
【００１４】
上記目的を達成するために本発明は、
複数の紙片部が折り部を介して折り畳み可能に連接して構成され、記入されたマークの読み取りを指示するタイミングマークが印刷されたマークシート用紙において、
前記折り部上の領域において前記複数の紙片部が連接する方向にて前記タイミングマークと並んで印刷されたダミーマークを有することを特徴とする。
【００１５】
上記のように構成された本発明においては、記入されたマークの読み取りは、印刷されたタイミングマークが検出されることによって行われる。この際、マークシート用紙が、複数の紙片部が折り部を介して折り畳み可能に連接して構成されていると、折り部がタイミングマークとして認識され、それにより、マークの読み取りが行われ、その読み取り結果が、マークシート用紙にマークとして記入された情報として認識されてしまう虞れがある。ところが、折り部上の領域においては、複数の紙片部が連接する方向にてタイミングマークと並んでダミーマークが印刷されているため、このダミーマークによって、折り部にて検出されたものはタイミングマークではないものと認識され、それにより、折り部における読み取り結果が、マークシート用紙にマークとして記入された情報として認識されてしまうことがなくなる。
【発明の効果】
【００１６】
本発明によれば、複数の紙片部が折り部を介して折り畳み可能に連接した構成において、折り部上の領域において複数の紙片部が連接する方向にて、記入されたマークの読み取りを指示するタイミングマークと並んでダミーマークを有するため、このダミーマークによって、折り部にて検出されたものはタイミングマークではないものと認識され、折り部における読み取り結果が、マークシート用紙にマークとして記入された情報として認識されてしまうことがなくなり、それにより、記入されたマークの読み取りを指示するタイミングマークが印刷されたマークシート用紙において、折り部にて折り畳まれる構成であってもマークの誤認識を回避することができる。
【図面の簡単な説明】
【００１７】
【図１】本発明のマークシート用紙の実施の一形態を示す図である。
【図２】図１に示したマークシート用紙にマークが記入された状態を示す図である。
【図３】図１に示したマークシート用紙に記入されたマークを読み取るマーク読取装置の構成例を示すブロック図である。
【図４】図３に示したマークシート読取装置によって図１に示したマークシート用紙に記入されたマークを読み取る際の動作を説明するためのフローチャートである。
【図５】折り畳まれて郵送されるマークシート用紙の一例を示す図である。
【発明を実施するための形態】
【００１８】
以下に、本発明の実施の形態について図面を参照して説明する。
【００１９】
図１は、本発明のマークシート用紙の実施の一形態を示す図である。
【００２０】
本形態におけるマークシート用紙は図１に示すように、３つの紙片部１０ａ〜１０ｃが折り部となるミシン目２０ａ，２０ｂを介して折り畳み可能に連接して構成されている。なお、折り部としては、ミシン目２０ａ，２０ｂではなく筋押し加工等による折り線でもよい。紙片部１０ｂ，１０ｃのそれぞれには、質問内容を示す質問項目３０ａ〜３０ｌが記載されているとともに、この質問項目３０ａ〜３０ｌに対応する回答をマークによって記入する記入位置を示すマーク位置指標４０ａ〜４０ｌ，５０ａ〜５０ｌが設けられている。
【００２１】
マーク位置指標４０ａ〜４０ｌは、質問項目３０ａ〜３０ｌに対して「はい」と回答する場合にマークを記入する位置を示すものであり、３つの紙片部１０ａ〜１０ｃの連接方向に直交する方向に、マーク位置指標４０ａ〜４０ｆ，４０ｇ〜４０ｌがそれぞれミシン目２０ａ，２０ｂと並行して一列になって整列している。また、マーク位置指標５０ａ〜５０ｌは、質問項目３０ａ〜３０ｌに対して「いいえ」と回答する場合にマークを示すものであり、３つの紙片部１０ａ〜１０ｃの連接方向に直交する方向に、マーク位置指標５０ａ〜５０ｆ，５０ｇ〜５０ｌがそれぞれミシン目２０ａ，２０ｂと並行して一列になって整列している。
【００２２】
また、紙片部１０ｂの端部には、マーク位置指標４０ａ〜４０ｆ，５０ａ〜５０ｆの整列方向延長線上のそれぞれに、マーク位置指標４０ａ〜４０ｆ，５０ａ〜５０ｆによる位置に記入されたマークの読み取りを指示するタイミングマーク６０ａ，６０ｂが黒色で印刷されている。また、紙片部１０ｃの端部には、マーク位置指標４０ｇ〜４０ｌ，５０ｇ〜５０ｌの整列方向延長線上のそれぞれに、マーク位置指標４０ｇ〜４０ｌ，５０ｇ〜５０ｌによる位置に記入されたマークの読み取りを指示するタイミングマーク６０ｃ，６０ｄが黒色で印刷されている。これらタイミングマーク６０ａ〜６０ｄは、紙片部１０ａ〜１０ｃの連接方向、すなわち、マーク位置指標４０ａ〜４０ｌ，５０ａ〜５０ｌの整列方向と直交する方向の幅が２ｍｍとなっている。
【００２３】
さらに、紙片部１０ａ〜１０ｃのタイミングマーク６０ａ〜６０ｄが印刷された側の端部には、ミシン目２０ａ，２０ｂ上の領域に、それぞれダミーマーク７０ａ，７０ｂが黒色で印刷されている。すなわち、ダミーマーク７０ａ，７０ｂは、紙片部１０ａ〜１０ｃが連接する方向にてタイミングマーク６０ａ〜６０ｄと並んで印刷されている。これらダミーマーク７０ａ，７０ｂは、紙片部１０ａ〜１０ｃの連接方向、すなわち、マーク位置指標４０ａ〜４０ｌ，５０ａ〜５０ｌの整列方向と直交する方向の幅が６ｍｍとなっている。これにより、ダミーマーク７０ａ，７０ｂは、マーク位置指標４０ａ〜４０ｌ，５０ａ〜５０ｌの整列方向と直交する方向における幅が、タイミングマーク６０ａ〜６０ｄの同方向における幅の３倍となっている。
【００２４】
以下に、上記のように構成されたマークシート用紙１の使用方法について説明する。
【００２５】
図２は、図１に示したマークシート用紙１にマークが記入された状態を示す図である。
【００２６】
図１に示したマークシート用紙１においては、図２に示すように、質問項目３０ａ〜３０ｌに対する回答が、そのそれぞれについてマーク位置指標４０ｇ〜４０ｌとマーク位置指標５０ｇ〜５０ｌとのいずれか一方による位置にマーク８０ａ〜８０ｌによって記入されることになる。例えば、質問項目３０ａ〜３０ｌに対する回答が「はい」であるものにおいては、マーク位置指標４０ｇ〜４０ｃ，４０ｅ，４０ｆ，４０ｉ〜４０ｋによる位置にマーク８０ｇ〜８０ｃ，８０ｅ，８０ｆ，８０ｉ〜８０ｋが記入され、また、質問項目３０ａ〜３０ｌに対する回答が「いいえ」であるものにおいては、マーク位置指標８０ｄ，８０ｇ，８０ｈ，８０ｌによる位置にマーク８０ｄ，８０ｇ，８０ｈ，８０ｌが記入されることになる。
【００２７】
図３は、図１に示したマークシート用紙１に記入されたマークを読み取るマーク読取装置の構成例を示すブロック図である。
【００２８】
図１に示したマークシート用紙１に記入されたマークを読み取るマーク読取装置としては、例えば、図３に示すように、タイミングマーク検出部９１と、マーク読取部９２と、情報認識部９３とを有するものが考えられる。
【００２９】
タイミングマーク検出部９１は、図１に示したマークシート用紙１のタイミングマーク６０ａ〜６０ｄ及びダミーマーク７０ａ，７０ｂが印刷された側の端部を、紙片部１０ａ〜１０ｃの連接方向に走査していき、タイミングマーク６０ａ〜６０ｄ及びダミーマーク７０ａ，７０ｂを検出する。
【００３０】
マーク読取部９２は、図１に示したマークシート用紙１を紙片部１０ａ〜１０ｃの連接方向にタイミングマーク検出部９１とともに走査していき、タイミングマーク検出部９１にてタイミングマーク６０ａ〜６０ｄあるいはダミーマーク７０ａ，７０ｂが検出された場合に、タイミングマーク６０ａ〜６０ｄあるいはダミーマーク７０ａ，７０ｂが検出されている間、マーク位置指標４０ａ〜４０ｌ，５０ａ〜５０ｌの整列方向にてマークの読み取りを行う。それにより、マーク読取部９２において、タイミングマーク検出部９１にてタイミングマーク６０ａが検出された場合に、マーク位置指標４０ａ〜４０ｆによる位置に記入されたマークが読み取られ、タイミングマーク検出部９１にてタイミングマーク６０ｂが検出された場合に、マーク位置指標５０ａ〜５０ｆによる位置に記入されたマークが読み取られる。また、マーク読取部９２において、タイミングマーク検出部９１にてタイミングマーク６０ｃが検出された場合に、マーク位置指標４０ｇ〜４０ｌによる位置に記入されたマークが読み取られ、タイミングマーク検出部９１にてタイミングマーク６０ｄが検出された場合に、マーク位置指標５０ｇ〜５０ｌによる位置に記入されたマークが読み取られる。さらに、マーク読取部９２においては、タイミングマーク検出部９１にてダミーマーク７０ａ，７０ｂが検出された場合、ミシン目２０ａ，２０ｂ上にてそれぞれマークの読み取りが行われる。
【００３１】
情報認識部９３は、マーク読取部９２にて読み取られたマークに応じて、図１に示したマークシート用紙１にマークとして記入された情報を認識する。具体的には、図１に示したマークシート用紙１においては、マーク読取部９２にて読み取られたマークに応じて、質問項目３０ａ〜３０ｌのそれぞれに対する「はい」／「いいえ」を認識する。その際、情報認識部９３は、マーク検出部９１にてタイミングマークとして検出されたマークの幅が一定以上である場合、マーク読取部９２における読み取り結果を無視する。
【００３２】
以下に、上記のように構成されたマークシート読取装置によって図１に示したマークシート用紙１に記入されたマークを読み取る際の動作について説明する。
【００３３】
図４は、図３に示したマークシート読取装置によって図１に示したマークシート用紙１に記入されたマークを読み取る際の動作を説明するためのフローチャートである。
【００３４】
図３に示したマークシート読取装置によって図１に示したマークシート用紙１に記入されたマークを読み取る場合は、タイミングマーク検出部９１及びマーク読取部９２において、図１に示したマークシート用紙１が紙片部１０ａ〜１０ｃの連接方向に走査されていく。この際、タイミングマーク検出部９１は、マークシート用紙１のタイミングマーク６０ａ〜６０ｄ及びダミーマーク７０ａ，７０ｂが印刷された側の端部を、紙片部１０ａ〜１０ｃの連接方向に走査していき、マーク読取部９２は、マークシート用紙１のマーク位置指標４０ａ〜４０ｌ，５０ａ〜５０ｌが設けられた領域を含むように走査していく。
【００３５】
そして、タイミングマーク検出部９１において、タイミングマーク６０ａ〜６０ｄあるいはダミーマーク７０ａ，７０ｂが検出されると（ステップ１）、マーク読取部９２において、タイミングマーク検出部９１にてタイミングマーク６０ａ〜６０ｄあるいはダミーマーク７０ａ，７０ｂが検出されている間、マーク位置指標４０ａ〜４０ｌ，５０ａ〜５０ｌの整列方向にてマークの読み取りが行われる（ステップ２）。これにより、マーク読取部９２において、タイミングマーク検出部９１にてタイミングマーク６０ａが検出された場合に、マーク位置指標４０ａ〜４０ｆによる位置に記入されたマークが読み取られ、タイミングマーク検出部９１にてタイミングマーク６０ｂが検出された場合に、マーク位置指標５０ａ〜５０ｆによる位置に記入されたマークが読み取られる。また、マーク読取部９２において、タイミングマーク検出部９１にてタイミングマーク６０ｃが検出された場合に、マーク位置指標４０ｇ〜４０ｌによる位置に記入されたマークが読み取られ、タイミングタイミングマーク検出部９１にてタイミングマーク６０ｄが検出された場合に、マーク位置指標５０ｇ〜５０ｌによる位置に記入されたマークが読み取られる。
【００３６】
また、タイミングマーク検出部９１においてダミーマーク７０ａ，７０ｂが検出された場合においても、マーク読取部９２において、タイミングマーク検出部９１にてダミーマーク７０ａ，７０ｂが検出されている間、マーク位置指標４０ａ〜４０ｌ，５０ａ〜５０ｌの整列方向にてマークの読み取りが行われ、それにより、ミシン目２０ａ，２０ｂ上に生じた影等がマークとして読み取られることになる。
【００３７】
マーク読取部９２におけるマークの読み取り結果は、その読み取り時間とともに情報認識部９３に送られる。マーク読取部９２においては、上述したようにタイミングマーク検出部９１にてタイミングマーク６０ａ〜６０ｄあるいはダミーマーク７０ａ，７０ｂが検出されている間、マークの読み取りが行われるため、マークの読み取り時間によって、タイミングマーク検出部９１にて検出されたマークの幅を認識することができる。
【００３８】
そして、タイミングマーク検出部９１にて検出されたマークの幅が４ｍｍ未満である場合は（ステップ３）、タイミングマーク検出部９１にて検出されたマークはタイミングマーク６０ａ〜６０ｄであるため、情報認識部９３において、マーク読取部９２にて読み取られたマークに応じて、図１に示したマークシート用紙１にマークとして記入された情報が認識される（ステップ４）。具体的には、図１に示したマークシート用紙１においては、マーク読取部９２にて読み取られたマークに応じて、質問項目３０ａ〜３０ｌのそれぞれに対する「はい」／「いいえ」が認識される。これにより、質問項目３０ａ〜３０ｌに対する回答が認識されることになる。
【００３９】
一方、タイミングマーク検出部９１にて検出されたマークの幅が４ｍｍ以上である場合は、タイミングマーク検出部９１にて検出されたマークがダミーマーク７０ａ，７０ｂであると判断され、情報認識部９３において、マーク読取部９２における読み取り結果が無視される（ステップ５）。これにより、ミシン目２０ａ，２０ｂ上においては、マーク読取部９２にてマークとして読み取られたものがあったとしても、読み取られたマークが情報として認識されることがなくなる。
【００４０】
ここで、情報認識部９３においてマーク読取部９２における読み取り結果を有効にするのか無効にするかの判断の境界を、上記のように４ｍｍとするのは、マーク位置指標４０ａ〜４０ｌ，５０ａ〜５０ｌの整列方向と直交する方向におけるタイミングマーク６０ａ〜６０ｄの幅が２ｍｍであり、また、同方向におけるダミーマーク７０ａ，７０ｂの幅が６ｍｍであることによる。すなわち、図１に示したマークシート用紙１においては、上記判断の境界を、４ｍｍに限らず２ｍｍよりも広く６ｍｍ未満に設定すればよい。
【００４１】
このように、本形態のマークシート用紙１においては、タイミングマーク６０ａ〜６０ｄが印刷されたマークシート用紙１の端部において、誤ってタイミングマークとして検出される虞れがあるミシン目２０ａ，２０ｂ上に、ダミーマーク７０ａ，７０ｂが、あえてマークシート読取装置のタイミングマーク検出部９１によって検出可能にかつ、その幅によってタイミングマーク６０ａ〜６０ｄとは区別可能に印刷されているため、タイミングマーク検出部９１にてダミーマーク７０ａ，７０ｂが検出された場合にマーク読取部９２における読み取り結果を無視することで、本来マークが読み取られる領域ではないミシン目２０ａ，２０ｂにてマークの読み取りが行われた場合であっても、読み取り結果として情報が認識されることがなくなる。それにより、記入されたマークの読み取りを指示するタイミングマーク６０ａ〜６０ｄが印刷されたマークシート用紙１において、ミシン目２０ａ，２０ｂにて折り畳まれる構成であってもマークの誤認識を回避することができる。
【００４２】
また、図１に示した１枚のマークシート用紙１について、読み取られたマークに応じた情報を認識する回数が、４つのタイミングマーク６０ａ〜６０ｄによって４回と決められている場合であっても、ミシン目２０ａ，２０ｂ上における読み取りによる情報認識が回数に入らないこととなり、マーク位置指標４０ａ〜４０ｌ，５０ａ〜５０ｌによる位置に記入された全てのマークに応じた情報が認識されることとなる。
【００４３】
なお、本形態のマークシート用紙１においては、タイミングマーク６０ａ〜６０ｄ及びダミーマーク７０ａ，７０ｂが黒色で印刷されているものを例に挙げて説明したが、これらタイミングマーク６０ａ〜６０ｄ及びダミーマーク７０ａ，７０ｂが、マークシート読取装置のタイミングマーク検出部９１によって検出可能な色で印刷されていればよい。
【００４４】
また、本形態のマークシート用紙１においては、ダミーマーク７０ａ，７０ｂの、マーク位置指標４０ａ〜４０ｌ，５０ａ〜５０ｌの整列方向と直交する方向における幅が、タイミングマーク６０ａ〜６０ｄの同方向における幅の３倍となっているが、ダミーマーク７０ａ，７０ｂが、マークシート読取装置のタイミングマーク検出部９１によって検出可能にかつ、その幅によってタイミングマーク６０ａ〜６０ｄとは区別可能に印刷されていれば、ダミーマーク７０ａ，７０ｂの幅は３倍にタイミングマーク６０ａ〜６０ｄの幅の３倍に限らない。ただし、タイミングマーク６０ａ〜６０ｄは一般的に２ｍｍ程度の幅が狭いものであるため、ダミーマーク７０ａ，７０ｂの幅はタイミングマーク６０ａ〜６０ｄの幅よりも広いことが好ましい。
【符号の説明】
【００４５】
１    マークシート用紙
１０ａ〜１０ｃ    紙片部
２０ａ，２０ｂ    ミシン目
３０ａ〜３０ｌ    質問項目
４０ａ〜４０ｌ，５０ａ〜５０ｌ    マーク位置指標
６０ａ〜６０ｄ    タイミングマーク
７０ａ，７０ｂ    ダミーマーク
８０ａ〜８０ｌ    マーク
９１    タイミングマーク検出部
９２    マーク読取部
９３    情報認識部
【図１】
2016066244.tif 000003
【図２】
2016066244.tif 000004
【図３】
2016066244.tif 000005
【図４】
2016066244.tif 000006
【図５】
2016066244.tif 000007